(57)【特許請求の範囲】
【請求項１】
機械室に設けられる既設制御盤と、上記機械室の外部に配設される制御対象機器と、上記既設制御盤と上記制御対象機器との間の通信経路に組み込まれ、上記既設制御盤に一端を接続されたケーブルとを備えるエレベータの上記既設制御盤を交換するためのエレベータの制御盤の交換方法であって、
上記機械室に新規制御盤を仮設する工程と、
上記制御対象機器と通信可能に設けられた中継機器と上記新規制御盤との間を通信可能に仮設ケーブルにより接続する工程と、
保持手段により上記仮設ケーブルを保持する工程と、
上記既設制御盤を撤去する工程と、
上記仮設ケーブルおよび上記保持手段を取り外す工程と、
上記新規制御盤を本設位置に配置して、上記新規制御盤と上記中継機器との間を通信可能に本設ケーブルにより接続する工程と
を備え、
上記保持手段は、一対の支持柱と、それら支持柱を連結するワイヤとを備え、
上記一対の支持柱のうちの一方の支持柱は、上記新規制御盤に対して設けられ、他方の支持柱は、上記中継機器に対して設けられ、
上記ワイヤは、それら一対の支持柱の上端を連結しており、
上記保持手段により上記仮設ケーブルを保持する上記工程においては、上記仮設ケーブルを、上記一対の支持柱及び上記ワイヤに沿って保持し、且つ、上記仮設ケーブルの余剰分を、周回させて、クリップにより上記支持柱に固定する、
エレベータの制御盤の交換方法。
【発明の詳細な説明】
【技術分野】
【０００１】
この発明は、機械室に設けられる既設制御盤を新規制御盤に交換するためのエレベータの制御盤の交換方法に関する。
【背景技術】
【０００２】
従来のエレベータは、機械室に設けられた制御盤の近傍に、制御盤に接続された第１ケーブルと昇降路内の制御対象機器に接続された第２ケーブルとを連結する中継ボックスとを有している（例えば、特許文献１参照）。
【先行技術文献】
【特許文献】
【０００３】
【特許文献１】特開２００６−９６４８２号公報
【発明の概要】
【発明が解決しようとする課題】
【０００４】
従来のエレベータにおいて、既設制御盤を新規制御盤に交換する際、例えば、新規制御盤を既設制御盤に併設し、新規制御盤が、エレベータの制御対象機器の全制御を行える状態となるまで、制御の一部を既設制御盤に行わせる場合がある。
【０００５】
このとき、既設制御盤に併設する新規制御盤は、機械室内の仮設位置に設けられ、仮設ケーブルを介して中継ボックスに接続される。つまり、新規制御盤は、仮設ケーブル、中継ボックス、及び第２ケーブルを介して通信可能に接続された制御対象機器の制御を行うことになる。
仮設ケーブルは、例えば、新規制御盤が、エレベータの制御対象機器の全制御を行える状態となった後の適切な時期に取り外される。さらに、既設制御盤を第１ケーブルとともに撤去し、さらに、新規制御盤を本来の設置位置に移動した後、本設ケーブルを新規制御盤及び中継ボックスの間を接続するように取り付ける。
以上により既設制御盤から新規制御盤への交換作業が完了する。
【０００６】
ここで、仮設ケーブルは、異なるエレベータの既設制御盤を新規制御盤に交換するのに共通のものを利用可能である。新規制御盤の仮設位置と中継ボックスとの間の距離は、エレベータ毎に異なるので、新規制御盤の仮設位置と中継ボックスとの間の距離が長くなっても対応可能なように、仮設ケーブルは、予め長く作製したものを用いる必要がある。
【０００７】
既設制御盤から新規制御盤への交換作業では、仮設位置に設置した新規制御盤及び中継ボックスの間を仮設ケーブルにより接続したときに、仮設ケーブルの余剰部分は、機械室の床面に載置されることになる。この場合、機械室の床上の作業スペースが十分に確保されなくなり、既設制御盤を新規制御盤に交換する際の作業効率が低下するという問題がある。
【０００８】
また、既設制御盤から新規制御盤への交換作業時に、機械室の床面に載置される仮設ケーブルの余剰分を必要最小限にして、作業スペースを確保するため、適切な長さに製作された仮設ケーブルを用意する場合、エレベータ毎に専用の長さの仮設ケーブルを用意する必要があり、費用がかさむ。
【０００９】
この発明は上記の課題を解決するためになされたものであり、仮設ケーブルを用いたエレベータの制御盤の交換作業を、機械室の床上の作業スペースを狭めることなく、かつ異なるエレベータの制御盤を交換する場合でも、共通の仮設ケーブルを用いることができるエレベータの制御盤の交換方法を得ることを目的とする。
【課題を解決するための手段】
【００１０】
この発明のエレベータの制御盤の交換方法は、機械室に設けられる既設制御盤と、機械室の外部に配設される制御対象機器と、既設制御盤と制御対象機器との間の通信経路に組み込まれ、既設制御盤に一端を接続されたケーブルとを備えるエレベータの既設制御盤を交換するためのエレベータの制御盤の交換方法であって、機械室に新規制御盤を仮設する工程と、制御対象機器と通信可能に設けられた中継機器と新規制御盤との間を通信可能に仮設ケーブルにより接続する工程と、機械室の床の上方で、仮設ケーブルを保持する工程と、既設制御盤を撤去する工程と、仮設ケーブルを取り外す工程と、新規制御盤を本設位置に配置して、新規制御盤と中継機器との間を通信可能に本設ケーブルにより接続する工程とを備えている。
【発明の効果】
【００１１】
この発明に係るエレベータの制御盤の交換方法によれば、機械室の床の上方で、仮設ケーブルを保持する工程を有するので、仮設ケーブルを利用した作業中、仮設ケーブルを機械室の床面に載置することを回避して、機械室の床上の作業スペースを確保することができる。また、仮設ケーブルが長くても、仮設ケーブルの一部を周回させるなどの工夫をすれば、仮設ケーブルは、問題なく機械室の床の上方の空間に配置可能である。仮設ケーブルを予め長くしておくことで、例えば、新規制御盤の仮設位置と中継機器との間が長くなる場合でも対応できる。即ち、共通の仮設ケーブルを異なるエレベータの既設制御盤の交換作業に用いることができるので、複数のエレベータに対して、既設制御盤を交換する際の費用を削減できる。
【図面の簡単な説明】
【００１２】
【図１】この発明の実施の形態１に係るエレベータの制御盤の交換方法によって交換される既設制御盤を有するエレベータの模式図である。
【図２】図１のＡ部拡大図である。
【図３】この発明の一実施の形態に係るエレベータの制御盤の交換方法について説明する図であり、既設制御盤の撤去前に機械室の仮設位置に新規制御盤を設け、中継機器及び新規制御盤の間を仮設ケーブルにより接続した状態を示している。
【図４】この発明の一実施の形態に係るエレベータの制御盤の交換方法について説明する図であり、既設制御盤の撤去後に新規制御盤を本設位置に移動した状態を示している。
【発明を実施するための形態】
【００１３】
以下、この発明を実施するための最良の形態について、図面を参照して説明する。
まず、エレベータの制御盤の交換方法の説明に先立って、エレベータの主な構成について説明する。
【００１４】
実施の形態１．
図１はこの発明の実施の形態１に係るエレベータの制御盤の交換方法によって交換される既設制御盤を有するエレベータの模式図、図２は図１のＡ部拡大図である。
【００１５】
図１及び図２において、エレベータ１は、昇降路２の上部に設けられる機械室３と、駆動綱車４ａ、及び駆動綱車４ａに回転トルクを付与する電動機４ｂを有し、機械室３に設けられる巻上機４と、機械室３に設けられるそらせ車５と、駆動綱車４ａ及びそらせ車５に巻きかけられて、一端側及び他端側が昇降路２内に垂下されたロープ９と、ロープ９の一端に連結されるかご１０と、各階床に設けられる乗場１４とを備えている。なお、乗場１４には、乗場呼びボタン（図示せず）が設けられている。
【００１６】
また、エレベータ１は、ロープ９の他端に連結されるつり合いおもり８と、機械室３に設けられる既設制御盤１５Ａと、昇降路２などの機械室３の外部に配設される制御対象機器と、既設制御盤１５Ａに一端を接続され、既設制御盤１５Ａと制御対象機器との間の通信経路に組み込まれる第１ケーブル２２とを備えている。なお、電動機４ｂ、及び既設制御盤１５Ａは、機械室３の床３ａに設けられている。
【００１７】
制御対象機器は、第１ケーブル２２を含む部材により構成される通信経路を介して既設制御盤１５Ａと通信可能に設けられる機器である。例えば、制御対象機器は、かご１０を構成するかご室の内部に設けられるかご操作盤１１及びインターホン１２や、かご室の上部に設けられ、図示しないかごドア及び乗場ドアを開閉させるドア制御装置１３などである。かご操作盤１１は、図示しない行き先階ボタン、戸開ボタン、及び戸閉ボタン等を含む複数の操作ボタンを有している。
【００１８】
第１ケーブル２２は、一端を既設制御盤１５Ａに接続されて、既設制御盤１５Ａから床３ａに形成された溝部に配置されるように延在したのち、昇降路２内に垂れ下げられ、他端側をかご１０に連結されている。このとき、第１ケーブル２２の下端側がＵ字状に湾曲されている。
第１ケーブル２２は、各制御対象機器に対応する図示しない複数の信号線を有する。
【００１９】
以上のように、かご１０と既設制御盤１５Ａとは、第１ケーブル２２を介して接続されている。また、かご操作盤１１、インターホン１２、及びドア制御装置１３とこれらに対応する第１ケーブル２２の信号線とが、かご側信号線（図示せず）により接続されている。以上により、各制御対象機器と既設制御盤１５Ａとが、第１ケーブル２２を含む部材により構成される通信経路を介して通信可能に接続される。
【００２０】
かご１０は、電動機４ｂのトルクにより回転駆動される駆動綱車４ａとロープ９との間に発生する摩擦力を利用して昇降路２内を昇降移動される。
電動機４ｂは、既設制御盤１５Ａと通信可能に接続されており、既設制御盤１５Ａは、かご操作盤１１や乗場呼びボタンの操作に応じて電動機４ｂの駆動を制御する制御指令を送信し、かご１０の昇降移動を制御する。
【００２１】
また、既設制御盤１５Ａは、かご操作盤１１や乗場呼びボタンの操作に応じてドア制御装置１３の制御指令を送信する。そして、ドア制御装置１３が、受信した制御指令に基づいて、図示しないかごドア及び乗場ドアを開閉させるようになっている。
【００２２】
次いで、既設制御盤１５Ａを新規制御盤に交換する交換方法について説明する。
図３はこの発明の一実施の形態に係るエレベータの制御盤の交換方法について説明する図であり、既設制御盤の撤去前に機械室の仮設位置に新規制御盤を設け、中継機器及び新規制御盤の間を仮設ケーブルにより接続した状態を示している。図４はこの発明の一実施の形態に係るエレベータの制御盤の交換方法について説明する図であり、既設制御盤の撤去後に新規制御盤を本設位置に移動した状態を示している。
【００２３】
作業者は、図３に示されるように、既設制御盤１５Ａをそのままに、新規制御盤１５Ｂを、機械室３の仮設位置に設ける。
次いで、作業者は、以下に説明する中継機器１９を、例えば、第１ケーブル２２の昇降路２内への垂れ下げ箇所となる機械室３内の位置に設ける。
【００２４】
また、予め、例えば、第１ケーブル２２を切断し、切断した第１ケーブル２２の部位を、中継機器１９を介して接続する。分離した第１ケーブル２２のうち、昇降路２内側に配置されて、中継機器１９とかご１０とを接続するものを、昇降路内ケーブル２３とし、機械室３内に配置されるものを機械室内ケーブル２４とする。
中継機器１９は、仮設ケーブル２５と昇降路内ケーブルの間を通信可能に接続するとともに、機械室内ケーブル２４と昇降路内ケーブル２３とを通信可能に接続する機能を有している。
【００２５】
なお、第１ケーブル２２を切断して得られる２つのケーブル間を、中継機器１９を介して接続するものとして説明したが、例えば、昇降路内ケーブル、及び中継機器１９と既設制御盤１５Ａとを接続する機械室内ケーブルのそれぞれを新規に用意し、第１ケーブル２２を撤去した後、新規の機械室内ケーブルと昇降路内ケーブルとを中継機器１９を介して接続してもよい。
【００２６】
次いで、作業者は、新規制御盤１５Ｂと中継機器１９を、仮設ケーブル２５により接続する。なお、仮設ケーブル２５は、第１ケーブル２２と同様、複数の信号線を有している。
【００２７】
さらに、仮設ケーブル２５を、以下に説明する保持手段３０により機械室３の床３ａの上方に保持させる。
【００２８】
ここで、仮設ケーブル２５の長さは、異なるエレベータの既設制御盤の交換を、共通の仮設ケーブル２５を用いて行うことができるように長めに設定してある。つまり、仮設ケーブル２５の長さは、新規制御盤１５Ｂと中継機器１９の間の距離が長くなるような場合でも対応できるように、長めに設定してある。
【００２９】
保持手段３０は、ケーブル支持部材３１と、ケーブル支持部材３１に仮設ケーブル２５を固定する固定部材としてのクリップ３４を備えている。
ケーブル支持部材３１は、一対の支持柱３２、及び支持柱３２の間を連結するワイヤ３３を備えている。
【００３０】
作業者は、一方の支持柱３２を、中継機器１９に対応する機械室３の床３ａの位置に、長さ方向を高さ方向に一致させて立設する。また、作業者は、他方の支持柱３２を、新規制御盤１５Ｂに対応する機械室３の床の位置に、長さ方向を高さ方向に一致させて立設する。
【００３１】
次いで、作業者は、一対の支持柱３２の上端間を接続するように、ワイヤ３３の一端及び他端を、一方の支持柱３２の上端及び他方の支持柱３２の上端に連結固定する。このとき、ワイヤ３３は、例えば、床３ａに対して、作業者より高い位置にあり、また、水平面に平行に張られている。
【００３２】
次いで、作業者は、仮設ケーブル２５の一端を、新規制御盤１５Ｂに設けられる入出力端子に接続し、仮設ケーブル２５の他端を、中継機器１９に設けられた入出力用端子に接続して、中継機器１９及び新規制御盤１５Ｂの間を仮設ケーブル２５により接続する。
なお、新規制御盤１５Ｂと制御対象機器の間の通信経路の一部を構成するように仮設ケーブル２５を設けるのはいうまでもない。
【００３３】
次いで、作業者は、支持柱３２及びワイヤ３３に対して、仮設ケーブル２５が、機械室３の床３ａの上方に保持されるように、仮設ケーブル２５の複数の部位をクリップ３４で支持柱３２及びワイヤ３３に連結固定する。
クリップ３４は、支持柱３２及びワイヤ３３のそれぞれに対し、支持柱３２及びワイヤ３３のそれぞれの長手方向に互いに間隔をあけて設けられている。
【００３４】
例えば、仮設ケーブル２５の余剰分は、例えば支持柱３２に沿って上下方向の所定の区間を周回するように延在した後、床３ａの上方で、支持柱３２にクリップ３４により固定されている。
以上により、機械室３の床３ａの上方で、仮設ケーブル２５が保持される。
この状態では、新規制御盤１５Ｂ及び既設制御盤１５Ａが共同で、エレベータ１のシステム制御を行うことが可能になっている。
また、かご操作盤等の制御対象機器を新規のものに交換する場合には、既設のものから新規のものに適宜交換する。
【００３５】
次いで、作業者は、新規制御盤１５Ｂのみでエレベータのシステム制御をできる状態になるまで作業を進めたところで、機械室内ケーブル２４を中継機器１９から切り離し、既設制御盤１５Ａ及び機械室内ケーブル２４を撤去する。
【００３６】
次いで、作業者は、第１ケーブル２２と同様に複数の信号線を有し、予め用意しておいた本設ケーブルとしての接続ケーブル２７を機械室内ケーブル２４の代わりに配置しておく。
【００３７】
また、作業者は、仮設ケーブル２５を取り外し、新規制御盤１５Ｂを、仮設位置から既設制御盤１５Ａが設置されていた本来の位置（本設位置）に移動する。
次いで、作業者は、中継機器１９及び新規制御盤１５Ｂの間を接続ケーブル２７により接続する。なお、新規制御盤１５Ｂと制御対象機器の間の通信経路の一部を構成するように接続ケーブル２７を設けるのはいうまでもない。
以上により既設制御盤１５Ａを新規制御盤１５Ｂに交換する作業が終了する。
【００３８】
この発明のエレベータの制御盤の交換方法によれば、機械室３に、新規制御盤１５Ｂを設ける工程と、新規制御盤１５Ｂ及び中継機器１９の間を仮設ケーブル２５により接続する工程と、機械室３の床３ａの上方に仮設ケーブル２５を保持する工程と、既設制御盤１５Ａを撤去する工程と、仮設ケーブル２５を取り外す工程と、新規制御盤１５Ｂを本設位置に配置して、新規制御盤１５Ｂ及び中継機器１９の間を接続ケーブル２７により接続する工程とを備えている。
【００３９】
機械室３の床３ａの上方で、仮設ケーブル２５を保持する工程を有するので、仮設ケーブル２５を利用した作業中、仮設ケーブル２５を機械室３の床３ａ上に載置することを回避して、機械室３の床３ａ上の作業スペースを確保することができる。また、仮設ケーブル２５が長くても、仮設ケーブル２５の一部を周回させるなどの工夫をすれば、仮設ケーブル２５は、問題なく機械室３の床３ａの上方の空間に配置可能である。仮設ケーブルを予め長くしておくことで、例えば、新規制御盤１５Ｂの仮設位置と中継機器１９との間が長くなる場合でも対応できる。即ち、共通の仮設ケーブル２５を、異なるエレベータの既設制御盤１５Ａの交換作業に用いることができるので、複数のエレベータに対して、既設制御盤１５Ａを交換する際の費用を削減できる。
【００４０】
また、従来のように仮設ケーブルを床３ａ上に載置する場合には、作業者や作業者が運ぶ用具が、仮設ケーブルにぶつかって仮設ケーブルに損傷を負わせないようにしたり、仮設ケーブルの凸部に作業者が引っかかったりすることを回避したりするための保護部材を用意する必要がある。
この発明では、機械室３の床３ａの上方に仮設ケーブル２５を保持するので、保護部材を用意することを省略でき、既設制御盤１５Ａを新規制御盤１５Ｂに交換するのに要する費用を削減できる。
【００４１】
また、従来のように、仮設ケーブルを機械室３の床３ａ上に載置する場合、作業スペースを確保するためには、エレベータ１毎に、適切な長さに作製された専用の仮設ケーブルを用意する必要がある。この場合、仮設ケーブルの作製時に、各エレベータ１の機械室３の形状を鑑みて、新規制御盤１５Ｂの仮設位置と中継機器１９の設置位置との間の距離から仮設ケーブルの適切な長さを求める作業を行わなければならない。本発明では、この作業も必要がなくなるので、仮設ケーブル２５の設計に関する面からもコストが削減される。また、仮設ケーブル２５の納期を待つ必要なく、予め作製しておいた仮設ケーブル２５を用いることで、エレベータ１の既設制御盤１５Ａの交換作業をすぐに開始できる。
【００４２】
なお、上記実施の形態では、保持手段３０は、ケーブル支持部材３１及び固定部材としてのクリップ３４により構成されるものとして説明したが、保持手段３０の構成はこのものによらず、例えば、ケーブル支持部材３１は、機械室３の壁を利用して床３ａの上方で、水平面に平行に延在するように固定された棒状部材やワイヤなどでもよい。
また、固定部材はクリップ３４であるものとして説明したが、例えば、ケーブル支持部材３１やワイヤ３３に対して仮設ケーブル２５を縛り付けて固定する紐などでもよい。
【００４３】
また、本設ケーブルは、既設制御盤１５Ａから新規制御盤１５Ｂへの交換作業時に、新たに用意する接続ケーブル２７であるものとして説明したが、新規制御盤１５Ｂ及び中継機器１９の間を接続するのに、機械室内ケーブル２４をそのまま利用できるのであれば、本設ケーブルとして、機械室内ケーブル２４を撤去せずに利用してもよい。つまり、本設ケーブルとしての接続ケーブル２７を新たに用意しなくてもよい。
【００４４】
また、新規制御盤１５Ｂは、仮設位置から既設制御盤１５Ａが置いてあった本設位置に移動するものとして説明したが、例えば、新規制御盤１５Ｂを移動させず、仮設位置を本設位置としたり、既設制御盤１５Ａが設けられていた位置とは異なる位置を本設位置としたりするものでよい。
【００４５】
また、改修前のエレベータ１には、中継機器１９は、設けられていないものとして説明したが、改修前のエレベータ１において、既設制御盤とかごとが、中継機器１９を利用して接続されていてもよい。即ち、既設制御盤１５Ａと中継機器１９を第１ケーブル（機械室内ケーブル）により接続し、中継機器１９とかご１０とを昇降路内ケーブルにより接続しておいてもよい。この場合、第１ケーブル（機械室内ケーブル）、中継機器１９、及び昇降路内ケーブルが、既設制御盤１５Ａとかご１０との間の通信経路を構成する。
この場合、エレベータ１の改修する際には、昇降路内ケーブルを新規のものに交換しなくてもよい。
【符号の説明】
【００４６】
１  エレベータ、３  機械室、３ａ  床、１１  かご操作盤（制御対象機器）、１２  インターホン（制御対象機器）、１３  ドア制御装置（制御対象機器）、１５Ａ  既設制御盤、１５Ｂ  新規制御盤、１９  中継機器、２２  第１ケーブル、２５  仮設ケーブル、２７  接続ケーブル（本設ケーブル）。
【図１】
0005671386.tif 000002
【図２】
0005671386.tif 000003
【図３】
0005671386.tif 000004
【図４】
0005671386.tif 000005